(57)【要約】【課題】バストが脇へ流れてしまうことを防ぎ得る強度を備えつつ、表側に縫製線が現れないため、アウターに響かず、滑らかな外観を実現することのできる上半身衣類および上半身衣類の製造方法を提供する。【解決手段】上半身衣類１は、着用者の胸を覆う前部５と、着用者の背中の上部を覆う後部６と、を有する本体部２と、着用者の胸を覆う一体パッド４と、本体部２の前部５の裏側に配置されたパッド受け布１３と、本体部２の前部５とパッド受け布１３との間に形成され、一体パッド４を収容する空間であるパッド収容部Ｓと、を備える。本体部２の前部５とパッド受け布１３との間には、パッド収容部Ｓの周囲の領域において接着部Ａが形成されている。上半身衣類１は、本体部２の前部５の左右の側部１５に重なり合うと共にパッド受け布１３に縫着された左右一対の脇サポート部３０を備える。【選択図】図３
2020070531.tif 000002
【特許請求の範囲】
【請求項１】
着用者の胸を覆う前部と、前記着用者の背中の上部を覆う後部と、を有する本体部と、
前記着用者の前記胸を覆うパッドと、
前記本体部の前記前部の裏側に配置されたパッド受け布と、
前記本体部の前記前部と前記パッド受け布との間に形成され、前記パッドを収容する空間であるパッド収容部と、を備え、
前記本体部の前記前部と前記パッド受け布との間には、前記パッド収容部の周囲の領域において接着部が形成され、
前記本体部の前記前部の左右の側部に重なり合うと共に前記パッド受け布に縫着された左右一対の脇サポート部を更に備える、上半身衣類。
【請求項２】
前記接着部は、前記パッド収容部よりも下に形成された下接着領域を含み、
前記下接着領域と前記パッド収容部との間には、左右の２箇所において下方に膨れるように湾曲するバージスラインが形成されており、
前記脇サポート部は、少なくとも前記パッド収容部に重なり合うように配置されると共に、前記パッド収容部上で上下方向に延在する左右一対の前中心側端部を含み、前記前中心側端部が前記バージスラインの左右の下端部にそれぞれ交差している、請求項１に記載の上半身衣類。
【請求項３】
前記脇サポート部は、少なくとも前記パッド収容部に重なり合うように配置されると共に、前記前部上で上下方向に延在する左右一対の前中心側端部を含み、前記前中心側端部が前記前部のバストトップ部よりも外側を通っている、請求項１または２に記載の上半身衣類。
【請求項４】
前記前部の上縁部と前記後部の上縁部とに接続された左右一対の肩ストラップ部を更に備え、
前記パッド受け布は、前記肩ストラップ部の裏側に接着された左右一対の延長部を含み、
前記脇サポート部は、前記肩ストラップ部の少なくとも一部に重なり合うと共に、前記パッド受け布に縫着されている、請求項１〜３のいずれか一項に記載の上半身衣類。
【請求項５】
着用者の胸を覆う前部と、前記着用者の背中の上部を覆う後部と、を有する本体部を備える上半身衣類の製造方法であって、
パッド受け布上の所定位置に左右一対の脇サポート部を配置し、前記パッド受け布に前記脇サポート部を縫着する縫着工程と、
前記脇サポート部が縫着された前記パッド受け布の少なくとも周縁部に接着剤を塗布する塗布工程と、
前記前部の裏側に前記パッド受け布を接着し、前記前部と前記パッド受け布の間に、前記着用者の前記胸を覆うパッドを収容する空間であるパッド収容部を形成すると共に、前記パッド収容部の周囲の領域において接着部を形成する接着工程と、
前記パッドを前記パッド収容部に収容するパッド収容工程と、を含み、
これら一連の工程を行った結果、前記本体部の前記前部の左右の側部に前記脇サポート部が重なり合った構成を備える上半身衣類を得る、上半身衣類の製造方法。
【発明の詳細な説明】
【技術分野】
【０００１】
本発明は、上半身衣類および上半身衣類の製造方法に関する。
【背景技術】
【０００２】
従来、特許文献１に記載されるように、カップ体が着脱自在に配置されたハーフトップ等の上半身衣類が知られている。この衣類では、伸縮性を有する生地によって形成された本体部のバスト部の裏側に、裏当部が結合されている。この裏当部により、カップ体を収容する収容ポケットが形成されている。裏当部の中心部分には、上下方向に延びる開口部が形成されている。この開口部を通して、カップ体が収容ポケット内に挿入される。収容ポケット内においてカップ体の位置ずれや回転が防がれ、よって、カップ体が着用者のバストに安定して密着する。
【０００３】
一方、特許文献２に記載されるように、前身生地および後身生地と、これらの裏側に設けられる肌側身生地と、胸の隆起部を被覆する２つのパッドとにより構成された上半身衣類が知られている。この衣類では、パッドの横辺および下辺が肌側身生地に縫着されている。肌側身生地のうちパッドとは縫着されていない辺部が、前身生地に縫着されている。着用者の胸部横から脇下の領域には、伸縮性生地が設けられている。この伸縮性生地は、前身生地の脇部の裏側に縫着されており、前身生地と肌側身生地の間に設けられている。
【０００４】
また、特許文献３に記載されるように、伸縮性を有する前身頃と、前身頃の胸部分の裏面に取り付けられた袋部材と、袋部材に入れられバストを覆うカップ部材とを有する上半身衣類が知られている。この衣類では、肩部からバストの両脇に至る左右一対の第１裏地と、これらの第１裏地の間に縫い合わされた第２裏地とが、前身頃の胸部分の裏側に設けられている。袋部材の周囲（山形の上端部）は、第１裏地および第２裏地にそれぞれ縫い合わされている。
【先行技術文献】
【特許文献】
【０００５】
【特許文献１】国際公開第２０１７／１９１８０６号
【特許文献２】特開２０１３−２１３３０４号公報
【特許文献３】特開２００９−１９１４１８号公報
【発明の概要】
【発明が解決しようとする課題】
【０００６】
上記した特許文献１に記載の衣類では、たとえば着用者のバストのサイズが大きい場合に、裏当部およびカップ体の部分がバストを支えきれず、バストが脇へ流れてしまう可能性がある。一方で、上記した特許文献２に記載の衣類では、脇部全体を覆う形状に形成された伸縮性生地が、脇部の裏側に縫着されており、この部分の生地が、３重となってサポート力を増大させ、バストを横から支持して、就寝時にバストが横に流れることを防いでいる。しかしながら、縫製技術を適用して強度をもたせようとすると、前身生地の表側に縫製線が現れて、外観に影響してしまう。また特許文献３に記載の衣類でも、前身頃の裏側に、袋部材と第１裏地および第２裏地とが取り付けられているが、強度の観点で十分とは言えない。
【０００７】
本発明は、バストが脇へ流れてしまうことを防ぎ得る強度を備えつつ、表側に縫製線が現れないため、アウターに響かず、滑らかな外観を実現することのできる上半身衣類および上半身衣類の製造方法を提供することを目的とする。
【課題を解決するための手段】
【０００８】
本発明の一態様に係る上半身衣類は、着用者の胸を覆う前部と、着用者の背中の上部を覆う後部と、を有する本体部と、着用者の胸を覆うパッドと、本体部の前部の裏側に配置されたパッド受け布と、本体部の前部とパッド受け布との間に形成され、パッドを収容する空間であるパッド収容部と、を備え、本体部の前部とパッド受け布との間には、パッド収容部の周囲の領域において接着部が形成され、本体部の前部の左右の側部に重なり合うと共にパッド受け布に縫着された左右一対の脇サポート部を更に備える。
【０００９】
この上半身衣類によれば、本体部の前部とパッド受け布との間に形成されたパッド収容部に、パッドが収容され、前部およびパッドが、着用者の胸を覆う。パッド受け布は、本体部の前部に接着されているため、前部の表側に縫製線が現れることはない。このパッド受け布には、左右一対の脇サポート部が縫着されている。脇サポート部は、本体部の前部の左右の側部に重なり合うので、着用者のバストを側方から支え、バストが脇へ流れてしまうことを防ぐことができる。脇サポート部はパッド受け布に縫着され、そのパッド受け布は本体部の前部の裏側に接着されているので、脇サポート部は露出することなく隠れており、脇サポート部の取付けに関わる縫製線も、前部の表側には現れない。したがって、バストが脇へ流れてしまうことを防ぎ得る強度を備えつつ、表側に縫製線が現れないため、アウターに響かず、滑らかな外観が実現される。
【００１０】
接着部は、パッド収容部よりも下に形成された下接着領域を含み、下接着領域とパッド収容部との間には、左右の２箇所において下方に膨れるように湾曲するバージスライン（登録商標）が形成されており、脇サポート部は、少なくともパッド収容部に重なり合うように配置されると共に、パッド収容部上で上下方向に延在する左右一対の前中心側端部を含み、前中心側端部がバージスラインの左右の下端部にそれぞれ交差してもよい。この場合、脇サポート部の前中心側端部がバージスラインの左右の下端部にそれぞれ交差するので、脇サポート部が、着用者のバストを下方から好適に支える。なお、バージスラインとは、一般的に、着用者のバストの膨らみの下部境界ラインを意味する。本明細書においては、バージスラインは、そのバストの膨らみの下部境界ラインに対応する、上半身衣類の位置（線状の部分)を意味する。なお、バージスラインは、サイズ毎に様々な着用者に適合し易い形状を設定している。
【００１１】
脇サポート部は、少なくともパッド収容部に重なり合うように配置されると共に、前部上で上下方向に延在する左右一対の前中心側端部を含み、前中心側端部が前部のバストトップ部よりも外側を通ってもよい。この場合、脇サポート部の前中心側端部は、バストトップ部を避けるようにして延在するので、脇サポート部がバストトップ部を押さえない。よって、着用者のバストを側方から支えつつ、バストトップの高さを維持することができる。
【００１２】
前部の上縁部と後部の上縁部とに接続された左右一対の肩ストラップ部を更に備え、パッド受け布は、肩ストラップ部の裏側に接着された左右一対の延長部を含み、脇サポート部は、肩ストラップ部の少なくとも一部に重なり合うと共に、延長部に縫着されてもよい。この場合、パッド受け布の延長部にまで脇サポート部が重なり合って縫着されている。したがって、肩ストラップ部から本体部の前部にかけて、本体部、パッド受け布および脇サポート部の３重構造が形成されており、バストが脇に流れるのを防ぐとともに、バストを引き上げることができる。縫製線のない滑らかな外観が失われることもない。
【００１３】
本発明の別の態様に係る上半身衣類の製造方法は、着用者の胸を覆う前部と、着用者の背中の上部を覆う後部と、を有する本体部を備える上半身衣類の製造方法であって、パッド受け布上の所定位置に左右一対の脇サポート部を配置し、パッド受け布に脇サポート部を縫着する縫着工程と、脇サポート部が縫着されたパッド受け布の少なくとも周縁部に接着剤を塗布する塗布工程と、前部の裏側にパッド受け布を接着し、前部とパッド受け布の間に、着用者の胸を覆うパッドを収容する空間であるパッド収容部を形成すると共に、パッド収容部の周囲の領域において接着部を形成する接着工程と、パッドをパッド収容部に収容するパッド収容工程と、を含み、これら一連の工程を行った結果、本体部の前部の左右の側部に脇サポート部が重なり合った構成を備える上半身衣類を得る。
【００１４】
この上半身衣類の製造方法によれば、縫着工程においてパッド受け布に脇サポート部が縫着され、その後、接着工程において、脇サポート部が縫着されたパッド受け布が前部の裏側に接着される。その結果得られる上半身衣類では、脇サポート部は、本体部の前部の左右の側部に重なり合うので、着用者のバストを側方から支え、引き上げバストが脇へ流れてしまうことを防ぐことができる。脇サポート部はパッド受け布に縫着され、そのパッド受け布は本体部の前部の裏側に接着されているので、脇サポート部は露出することなく隠れており、脇サポート部の取付けに関わる縫製線も、前部の表側には現れない。よって、バストが脇へ流れてしまうことを防ぎ得る強度を備えつつ、表側に縫製線が現れないため、アウターに響かず、滑らかな外観を有する上半身衣類を製造することができる。
【発明の効果】
【００１５】
本発明によれば、バストが脇へ流れてしまうことを防ぎ得る強度を備えつつ、表側に縫製線が現れないため、アウターに響かず、滑らかな外観が実現される。
【図面の簡単な説明】
【００１６】
【図１】本開示の第１実施形態に係る上半身衣類を示す正面図である。
【図２】図１に示した上半身衣類の背面図である。
【図３】図１に示した上半身衣類を裏返して示す正面図である。
【図４】図１に示した上半身衣類を裏返して示す背面図である。
【図５】図１のＶ−Ｖ線に沿った断面図である。
【図６】バージスライン付近における接着剤の塗布状態を示す図である。
【図７】図７（ａ）、図７（ｂ）および図７（ｃ）は、図１に示した上半身衣類の製造工程をそれぞれ示す斜視図である。
【図８】上半身衣類の着用状態を示す図である。
【発明を実施するための形態】
【００１７】
以下、本発明の実施形態について、図面を参照しながら説明する。なお、図面の説明において同一要素には同一符号を付し、重複する説明は省略する。なお、以下の説明では、便宜上、上半身衣類の着用状態を想定して「上」「下」等の用語を使用する。
【００１８】
まず、図１および図２を参照して、上半身衣類１の基本構成について説明する。上半身衣類１は、たとえばハーフトップとして構成されている。ハーフトップは、タンクトップと比較して丈が短く、着用者の腹部および腰部が露出するようになっている。上半身衣類１は、着用者のバスト周りの胴部を覆うように構成された本体部２と、左右一対の肩ストラップ部３，３と、着用者のバスト（胸）を覆う一体パッド４とを備えている。本明細書において、「胸」は、着用者の上半身における前側の上部の広い範囲を意味し、「バスト」は、胸のうち、着用者の乳房の部分を意味する。
【００１９】
本体部２は、伸縮性を有する生地であればよく、たとえば端始末不要の生地によって形成されている。このような生地としては、緯編地や経編地が用いられ、たとえばスムース、フライス、天竺、トリコット、ラッセルなどが挙げられる。本体部２は、着用者の胸を覆う前部５と、着用者の背中の上部を覆う後部６とを有する。前部５は、上半身衣類１を平置きした場合に前面に位置する部分であり、後部６は、上半身衣類１を平置きした場合に後面に位置する部分である。前部５と後部６とは、本体部２の両脇で連続し、着用者の胸周りを包囲するように筒状をなしている。図１および２に示されるように、本実施形態では、前部５の大部分をなす生地Ｍ１の横方向の端部Ｍ１ａ，Ｍ１ａと、と後部６の大部分をなす生地Ｍ２の横方向の端部Ｍ２ａ，Ｍ２ａとが、重なり合って接着されている。これらの接着部は、たとえば後部６側に形成されるが、本体部２は、このような構成に限られない。本体部２は、２箇所ではなく１箇所のみの接着部を有してもよいし、接着部を有さずに筒状の連続した生地から構成されてもよい。接着部に替えて縫着部が形成されてもよい。
【００２０】
前部５の上縁部５ａおよび後部６の上縁部６ａは、上半身衣類１の襟刳りに相当し、いずれも下方に向かって緩やかな凹状をなしている。前部５の下縁部５ｂおよび後部６の下縁部６ｂは、上半身衣類１の裾に相当する。前部５の下縁部５ｂは、横方向に延びる直線状となっており、後部６の下縁部６ｂは、前部５の下縁部５ｂよりもやや上方の位置で横方向に延びるように湾曲している。なお、前部５の下縁部５ｂが横方向に延びるように湾曲していてもよく、後部６の下縁部６ｂが、横方向に延びる直線状であってもよい。また、下縁部５ｂ、６ｂの直線状部、湾曲部が波型となっていてもよい。
【００２１】
前部５は、左右の側部１５，１５と、これらの側部１５，１５の間に配置された前中心部１７とを含む。後部６は、左右の側部１６，１６を含む。前部５の側部１５の側上部１５ａ，１５ａおよび後部６の側部１６の側上部１６ａ，１６ａは、上半身衣類１の袖刳りに相当し、いずれも中心側に向かって緩やかな凹状をなしている。前部５の側部１５の側下部１５ｂ，１５ｂおよび後部６の側部１６の側下部１６ｂ，１６ｂは、上半身衣類１の脇裾に相当し、下方に向かって本体部２の身幅が小さくなるように垂下する直線状をなしている。
【００２２】
肩ストラップ部３は、前部５の上縁部５ａと後部６の上縁部６ａとを繋ぐように帯状に設けられている。肩ストラップ部３は、たとえば本体部２と同じ端始末不要の伸縮性を有する生地によって、本体部２と一体に形成されている。肩ストラップ部３は、着用時に着用者の両肩にそれぞれ正面から背面にかけて掛け渡され、上半身衣類１の装着をサポートする。
【００２３】
肩ストラップ部３は、前部５の上縁部５ａに接続された前ストラップ部２１と、後部６の上縁部６ａに接続された後ストラップ部２２と、前ストラップ部２１と後ストラップ部２２との間に形成された頂部２６とを有する。前ストラップ部２１は、本体部２の前部５と一体に形成され、前部５から頂部２６に向けて徐々に狭くなる幅を有する前ストラップ本体部２３を含む。後ストラップ部２２は、本体部２の後部６と一体に形成され、後部６から頂部２６に向けて徐々に狭くなるが頂部２６付近では一定となる幅を有する後ストラップ本体部２５を含む。前ストラップ本体部２３の上端部と後ストラップ本体部２５の上端部とが重なり合って接着または縫着によって結合されてもよい。その結合部が頂部２６を形成してもよい。前ストラップ本体部２３と後ストラップ本体部２５とは、一体の生地からなり、頂部２６を介して切れ目なく連続していてもよい。
【００２４】
前ストラップ部２１は、左右方向の中心側に位置する前内端縁（第１端縁）２１ａと、前内端縁２１ａとは反対側に位置する前外端縁（第２端縁）２１ｂとを含む。後ストラップ部２２は、左右方向の中心側に位置する後内端縁（第１端縁）２２ａと、後内端縁２２ａとは反対側に位置する後外端縁（第２端縁）２２ｂとを含む。前外端縁２１ｂ、後外端縁２２ｂ、前部５の側上部（上端縁）１５ａ、および後部６の側上部（上端縁）１６ａによって、左右一対のアームホールＨが形成されている。
【００２５】
一方、一体パッド４は、バストの整形や着用者の乳頭が透けてしまうことの防止などを目的として前部５に配置されている。一体パッド４は、左右一対のパッド１１，１１と、パッド１１，１１を前中心側で連結する連結部１２とを有している。パッド１１，１１および連結部１２は、たとえばウレタンなどの弾性材料を用いたモールド成型による一体成型品となっている。一体パッド４、パッド１１は、一体カップ、カップと称してもよい。前部５は、各パッド１１の中央部分（もっとも突出した部分）において、バストトップ部５ｃを有する。このバストトップ部５ｃは、着用者のバストトップに対応する位置に形成され、着用者のバストトップを覆う。
【００２６】
パッド１１は、全体として着用者のバスト形状に対応する椀形状をなしており、正面視においては円に近い形状を有している。連結部１２は、左右のパッド１１，１１に対して上下にくびれた形状をなしている。一体パッド４のパッド１１，１１および連結部１２の形状は、一体パッド４が着用者のバストにフィットするように、適宜に決定されている。なお、一体パッド４は、一体成型品である構成に限られない。連結部１２が省略され、一体パッド４が独立した２つのパッド１１，１１であってもよい。
【００２７】
続いて、図１および図３を参照して、上半身衣類１が前部５の裏面側に備える構成について詳細に説明する。図３は、上半身衣類１を裏返して示す正面図である。図３に示されるように、上半身衣類１は、前部５の裏側に配置されたパッド受け布１３を備える。パッド受け布１３は、前部５の裏面５ｆ（肌側。図７（ｃ）参照）に結合されている。このパッド受け布１３の結合により、前部５の裏側には、一体パッド４を収容する空間であるパッド収容部Ｓが形成されている。すなわち、本体部２の前部５とパッド受け布１３との間に、パッド収容部Ｓが形成されている。パッド収容部Ｓの形成にあたり、パッド受け布１３との結合後に前部５およびパッド受け布１３への熱成型加工が施されてもよい。これにより、前部５において生地の立体感を造形でき、着用者のバスト形状および一体パッド４の膨らみに対応したパッド収容部Ｓを構成できる。この場合、前部５およびパッド受け布１３の伸縮性、伸長回復性などの素材特性により、前部５およびパッド受け布１３のそれぞれに熱成型加工を施すか否かを選定することが好ましい。これにより、前部５の着圧が適切に調整され、バストの安定感が高められる。
【００２８】
パッド受け布１３は、たとえば本体部２と同じ端始末不要の伸縮性を有する生地によって形成されている。パッド受け布１３の上縁部１３ａは、前部５の上縁部５ａの湾曲形状に沿うように、下方に向かって緩やかな凹状をなしている。パッド受け布１３の上縁部１３ａの両脇部分には、肩ストラップ部３の前ストラップ本体部２３と同程度の幅をもって上方に張り出す延長部１４がそれぞれ設けられている。延長部１４は、前ストラップ本体部２３の裏側に配置され、肩ストラップ部３の頂部２６に達している。延長部１４は、肩ストラップ部３の前ストラップ本体部２３に重ね合され、前ストラップ本体部２３の伸びが過剰になることを抑制する。すなわち、延長部１４は、前ストラップ本体部２３の伸長性を低減させる。パッド受け布１３の下縁部１３ｂは、前部５の下縁部５ｂの形状に対応した直線形状をなしている。なお、パッド受け布１３の下縁部１３ｂは、一体パッド４の下縁部分の形状に対応した湾曲形状をなしてもよい。
【００２９】
パッド受け布１３は、本体部２の前部５の外形に略等しい外形を有する。パッド受け布１３の大きさは、本体部２を平置きした場合の前部５の大きさと略同じか、前部５の大きさよりも僅かに小さい。
【００３０】
パッド受け布１３は、左右の側部１８，１８と、これらの側部１８，１８の間に配置された中央部１９と、上記の延長部１４，１４とを含む。パッド受け布１３の側上部１８ａ，１８ａは、前部５の左右の側上部１５ａ，１５ａの湾曲形状に沿った湾曲形状をなしている。また、パッド受け布１３の側部１８の側下部１８ｂ，１８ｂは、前部５の左右の側下部１５ｂ，１５ｂに沿った略直線状をなしている。
【００３１】
本実施形態では、パッド受け布１３は、本体部２の前部５の裏面５ｆ（図７（ｃ）参照）に接着されている。パッド受け布１３の延長部１４は、前ストラップ本体部２３の裏面に接着されている。より詳細には、パッド受け布１３の表面１３ｅ側における周縁部に接着剤ＡＤが塗布され（図７（ｂ）参照）、パッド受け布１３の表面１３ｅが前部５の裏面５ｆに貼り合わされている。これにより、図３に示されるように、前部５とパッド受け布１３との間には、パッド収容部Ｓの周囲の領域において接着部Ａが形成されている。接着部Ａは、パッド収容部Ｓよりも上（すなわち上縁部１３ａ側）に形成された上接着領域Ａａと、パッド収容部Ｓよりも下（すなわち下縁部１３ｂ側）に形成された下接着領域Ａｂと、パッド収容部Ｓの左右の両側に形成された一対の側接着領域Ａｃ，Ａｃと、上接着領域Ａａおよび側接着領域Ａｃ，Ａｃに連続するように延長部１４の部分に形成された左右一対の延長接着領域Ａｄとを含む。接着部Ａは、所望のパッド収容部Ｓの大きさ、形状、および位置に対応して、パッド収容部Ｓを除く領域に形成される。
【００３２】
このように、接着部Ａは、パッド受け布１３の周縁部に形成されている。前部５にパッド受け布１３を結合させることにより、パッド収容部Ｓを形成するとともに、接着部Ａが前部５の伸長性を低減させている。言い換えれば、前部５の強度を高めている。
【００３３】
接着部Ａの下接着領域Ａｂとパッド収容部Ｓとの間には、左右の２箇所において下方に膨れるように湾曲するバージスラインＬが形成されている。各バージスラインＬは、パッド１１の下縁部にほぼ対応する湾曲形状をなしている。
【００３４】
パッド受け布１３の中央部１９には、一体パッド４におけるパッド１１、１１の連結方向（すなわち、上半身衣類１を正面から見た場合の左右方向）に延びる開口部２０が形成されている。開口部２０は、パッド収容部Ｓに対して一体パッド４を着脱するための部分である。開口部２０は、たとえばパッド受け布１３に直線状の切り込みを入れることによりスリット状に形成されている。パッド受け布１３に伸縮性を有する生地を用いている場合には、直線状の切り込みを入れることで、上下端が尖った略楕円形状の開口部２０が形成される。
【００３５】
開口部２０は、接着部Ａには重ならない領域に形成される。開口部２０は、パッド収容部Ｓ内に配置された一体パッド４における連結部１２の縁部と重ならない位置に設けられている。開口部２０は、たとえば、前中心部分において一体パッド４の連結部１２の上縁部よりも上方に位置している。したがって、開口部２０からはパッド収容部Ｓ内の一体パッド４自体が露出せず、前部５の裏側の生地のみが開口部２０を通して視認し得る状態となっている。なお、開口部２０の位置、形状、大きさは、適宜に変更されてもよい。たとえば、一体パッド４が別個の２つのパッド１１，１１を有する場合には、これらのパッド１１，１１を着脱するための２つの開口部が形成されてもよい。
【００３６】
続いて、図３および図５を参照して、上半身衣類１が前部５の裏面側に備える構成について、更に詳細に説明する。図５は、図１のＶ−Ｖ線に沿った断面図である。図３および図５に示されるように、パッド受け布１３の裏面１３ｆには、左右一対の脇サポート部３０，３０が縫着されている。たとえば、脇サポート部３０，３０の周縁部が全体にわたって縫着されている。脇サポート部３０，３０の周縁部の一部分（一部の辺等）は縫着されておらず、周縁部の他の部分（他の辺等）が縫着されていてもよい。脇サポート部３０は、たとえば本体部２と同じ端始末不要の伸縮性を有する生地（布）によって形成されている。脇サポート部３０を形成する生地は、本体部２と同様であってもよく、本体部２を形成する生地と異なってもよい。脇サポート部３０を形成する生地の伸縮性（又は伸長性）は、本体部２を形成する生地の伸縮性（又は伸長性）と同じであってもよいし、本体部２を形成する生地の伸縮性（又は伸長性）より低くてもよい。各脇サポート部３０は、パッド受け布１３の側部１８を覆うように設けられている。より詳細には、各脇サポート部３０は、パッド受け布１３の側部１８と延長部１４とに重なり合うように設けられている。
【００３７】
脇サポート部３０は、パッド受け布１３の側部１８に重なり合う脇サポート本体部３１と、パッド受け布１３の延長部１４に重なり合う脇サポート延長部３２とを有する。各脇サポート本体部３１は、パッド受け布１３の下縁部１３ｂに略一致する直線状の下辺３１ｅと、パッド受け布１３の側下部１８ｂに略一致する直線状の下側辺３１ｆと、パッド受け布１３の側上部１８ａに略一致する湾曲形状の上側辺３１ｇとを含む。脇サポート本体部３１に連続して一体に形成された脇サポート延長部３２は、延長部１４の幅に略一致する幅を有する。脇サポート延長部３２は、肩ストラップ部３の頂部２６に達している。なお、パッド受け布の各部に略一致する脇サポート部の各辺は、パッド受け布の各辺のやや内側であることが好ましい。
【００３８】
各脇サポート部３０は、本体部２の前部５の各側部１５に重なり合うように配置されている。各脇サポート部３０は、パッド収容部Ｓに相当する領域と、側接着領域Ａｃに相当する領域との両方に設けられている。これにより、脇サポート部３０は、着用者のバストの外側部を覆うように構成されている。本明細書において、「重なり合う」とは、生地と生地とが対面して直接接触することができる状態と、生地と生地とが、他の別の１又は複数の生地および／または部材を介して対面する状態（したがってこれらの生地は接触しない）と、の両方を含む意である。言い換えれば、「重なり合う」とは、生地の厚み方向から見て（たとえば前部５に対しては正面視において）、同じ領域に設けられていることを意味する。
【００３９】
図３および図５に示されるように、各脇サポート本体部３１は、パッド収容部Ｓに重なり合うパッド重なり部３１ａと、パッド重なり部３１ａの左右の外側に配置されて側接着領域Ａｃに重なり合う側端部３１ｂとを含む。脇サポート部３０は、パッド収容部Ｓ上で上下方向に延在する（上縁部１３ａと下縁部１３ｂの間に延在する）左右一対の前中心側端部３１ｃを含む。図３に示されるように、脇サポート本体部３１の下側辺３１ｆおよび上側辺３１ｇとは反対側の端部である前中心側端部３１ｃは、左右の外方に向かって緩やかな凹状をなしている。前中心側端部３１ｃは、上記したバージスラインＬの左右の下端部Ｌａにそれぞれ交差している。ここで、バージスラインＬの下端部Ｌａとは、バージスラインＬの中でもっとも下に位置する点のみを意味すると解されるべきではなく、その点を含む半径２ｃｍ程度の領域を意味すると解されるべきである。
【００４０】
図３および図５に示されるように、脇サポート部３０の前中心側端部３１ｃは、前部５のバストトップ部５ｃよりも外側を通っている。
【００４１】
続いて、図２および図４を参照して、上半身衣類１が肩ストラップ部３の裏面側に備える構成について説明する。図２は、図１に示した上半身衣類の背面図である。図４は、図１に示した上半身衣類を裏返して示す背面図である。図２および図４に示されるように、後ストラップ本体部２５の裏面には、後内端縁２２ａおよび後外端縁２２ｂに沿うように設けられて所定の幅を有する引上げサポート部２４が接着されている。引上げサポート部２４は、上下方向に延在しており、その上端部２４ａは肩ストラップ部３の頂部２６に達している。引上げサポート部２４の下端部２４ｂは、後ストラップ本体部２５の下端部すなわち後部６の上縁部６ａ付近に位置している。引上げサポート部２４の下端部２４ｂは、アームホールＨの下端Ｈｂよりも上方に位置してもよいし、上下方向においてアームホールＨの下端Ｈｂに揃うように位置してもよい。引上げサポート部２４は、肩ストラップ部３の後ストラップ本体部２５に重ね合され、後ストラップ本体部２５の伸びが過剰になることを抑制する。すなわち、引上げサポート部２４は、後ストラップ本体部２５の伸長性を低減させる。
【００４２】
パッド受け布１３の延長部１４および脇サポート部３０の脇サポート延長部３２と、引上げサポート部２４とは、頂部２６において重ね合わされ、前ストラップ本体部２３および後ストラップ本体部２５に対して一体に縫着されていてもよい。これにより、頂部２６では、生地が５重に重なった構造が形成されている。
【００４３】
続いて、図６および図７（ａ）〜図７（ｃ）を参照して、上半身衣類１の製造方法について説明する。まず、図７（ａ）に示されるように、パッド受け布１３上の左右の側部１８の位置に、左右一対の脇サポート部３０を配置し、パッド受け布１３に脇サポート部３０を縫着する（縫着工程）。より詳細には、脇サポート部３０の表面３０ｅをパッド受け布１３の裏面１３ｆに重ね合わせ、脇サポート部３０の周縁部に沿って、公知の方法で脇サポート部３０を縫着する。これにより、脇サポート部３０が縫着された一対の裏当部４０が得られる。この状態で、パッド受け布１３の表面１３ｅおよび脇サポート部３０の裏面３０ｆには、縫製線６０（図７（ｂ）参照）が露出している。
【００４４】
次に、図７（ｂ）に示されるように、脇サポート部３０が縫着されたパッド受け布１３（上記の裏当部４０）の周縁部の表面１３ｅに、接着剤ＡＤを塗布する（塗布工程）。接着剤ＡＤとしては、たとえば、熱可塑性の接着剤等が用いられ得る。ただし、接着剤ＡＤの種類は特に限定されない。接着剤ＡＤは、接着部Ａに対応する領域、すなわちパッド収容部Ｓが予定される領域を除く領域に塗布される。接着剤ＡＤの一部は、パッド受け布１３の表面１３ｅに露出する縫製線６０上にも塗布される。
【００４５】
この塗布工程においては、図６に示されるように、複数のドット状の塗布部５１と、複数の長円状または楕円状の塗布部５２とを配列させる。塗布部５２の密度は、塗布部５１の密度よりも高いため、塗布部５２が塗布された部分の伸長性が抑えられている。所定のピッチをもって並ぶ一列の塗布部５１と、そのピッチの半分だけずらして配置された別の一列の塗布部５１とが配列される。所定のピッチをもって並ぶ一列の塗布部５２と、そのピッチの半分だけずらして配置された別の一列の塗布部５２とが配列される。複数列の塗布部５１と、他の複数列の塗布部５１との間に、複数列の塗布部５２が配置される。複数列の塗布部５２は、バージスラインＬが予定される箇所のやや下方に沿って形成される。このような塗布部５２により、バストが大きい着用者が上半身衣類１を着用した場合であっても、塗布部５２がバストに重ならず、かつ、バストの下部を安定させることができる。
【００４６】
次に、図７（ｃ）に示されるように、前部５の大部分をなす生地Ｍ１の裏面５ｆにパッド受け布１３（裏当部４０）を接着する（接着工程）。この接着工程により、前部５とパッド受け布１３の間に、パッド収容部Ｓを形成すると共に、パッド収容部Ｓの周囲の領域において接着部Ａを形成する。この接着工程では、接着剤の種類や生地Ｍ１の種類等に応じて、公知の方法から適切な方法が選択され得る。
【００４７】
そして、接着工程の後、前部５の大部分をなす生地Ｍ１の横方向の端部Ｍ１ａ，Ｍ１ａと、後部６の大部分をなす生地Ｍ２の横方向の端部Ｍ２ａ，Ｍ２ａとを重ねて接着する。その後、パッド受け布１３の延長部１４および脇サポート部３０の脇サポート延長部３２と、引上げサポート部２４とを、頂部２６において重ね合せ、前ストラップ本体部２３および後ストラップ本体部２５に対して一体に縫着する（本体部形成工程）。そして、一体パッド４を、開口部２０を通じてパッド収容部Ｓに収容し（パッド収容工程）、本体部２を表向きに戻す。これら一連の工程を行った結果、本体部２の前部５の左右の側部１５に脇サポート部３０が重なり合った構成を備える上半身衣類１を得る。上半身衣類１では、図１および図２に示されるように、本体部２の表面側には、縫製線６０は一切現れていない。前部５にも後部６にも、製品の表側には、縫製線６０は一切現れていない。なお、縫着工程および接着工程と、本体部形成工程とは、本体部２の構造に応じて上記とは別の順序で実施されてもよい。
【００４８】
本実施形態の上半身衣類１によれば、本体部２の前部５とパッド受け布１３との間に形成されたパッド収容部Ｓに、一体パッド４が収容され、前部５および一体パッド４が、着用者の胸を覆う。パッド受け布１３は、本体部２の前部５に接着されているため、前部５の表側に縫製線が現れることはない。このパッド受け布１３には、左右一対の脇サポート部３０が縫着されている。脇サポート部３０は、本体部２の前部５の左右の側部１５に重なり合うので、着用者のバストを側方から支え、バストが脇へ流れてしまうことを防ぐことができる（図８参照）。脇サポート部３０はパッド受け布１３に縫着され、そのパッド受け布１３は本体部２の前部５の裏面５ｆに接着されているので、脇サポート部３０は露出することなく隠れており、脇サポート部３０の取付けに関わる縫製線６０も、前部５の表側には現れない。したがって、バストが脇へ流れてしまうことを防ぎ得る強度を備えつつ、縫製線が表側に表れずに滑らかな外観が実現される。着用者のバストのサイズが大きい場合には、この強度に関する効果は、より顕著に発揮される。
【００４９】
本実施形態の上半身衣類１の製造方法によれば、縫着工程においてパッド受け布１３に脇サポート部３０が縫着され、その後、接着工程において、脇サポート部３０が縫着されたパッド受け布１３が、前部５の裏面５ｆに接着される。よって、バストが脇へ流れてしまうことを防ぎ得る強度を備えつつ、表側に縫製線が現れないため、アウターに響かず、滑らかな外観を有する上半身衣類１を複雑な工程を要することなく製造できる。
【００５０】
上半身衣類１では、脇サポート部３０の前中心側端部３１ｃがバージスラインＬの左右の下端部Ｌａにそれぞれ交差するので、脇サポート部３０が、着用者のバストを引き上げるとともに、側方から好適に支える。
【００５１】
脇サポート部３０の前中心側端部３１ｃは、バストトップ部５ｃを避けるようにして延在するので、脇サポート部３０がバストトップ部５ｃを押さえない。よって、着用者のバストを側方から支えつつ、バストトップの高さを維持することができる。
【００５２】
パッド受け布１３の延長部１４にまで脇サポート部３０が重なり合って縫着されているので、肩ストラップ部３から本体部２の前部５にかけて、パッド受け布１３および脇サポート部３０の３重構造が形成されており、バストが脇に流れるのを防ぐとともに、バストを引き上げることができる。しかも、縫製線のない滑らかな外観が失われることもない。この前ストラップ部２１の構造と、バージスラインＬの左右の下端部Ｌａに交差するように配置された脇サポート部３０とによって、バストの引き上げ効果がより好適に発揮される。
【００５３】
以上、本発明の実施形態について説明したが、本発明は上記実施形態に限られない。たとえば、脇サポート部３０は、延長接着領域Ａｄには重なり合わずに、パッド収容部Ｓのみに重なり合うように設けられてもよい。脇サポート部３０の前中心側端部３１ｃは、上記実施形態とは異なる位置に延在してもよい。脇サポート部３０の前中心側端部３１ｃは、バージスラインＬの下端部Ｌａよりも更に左右の外側を通ってもよいし、下端部Ｌａよりも左右の内側を通ってもよい。脇サポート部３０が、バストトップ部５ｃに重なり合ってもよい。
【００５４】
脇サポート部３０は、本体部２の前部５のみに対して設けられてもよい。すなわち、脇サポート部３０の脇サポート延長部３２が省略されてもよい。脇サポート部３０は、本体部２の前部５の側部１５において、どのような範囲（面積）に設けられてもよいし、どのような幅および長さに形成されてもよい。脇サポート部３０は、本体部２の後部６の一部に重複してもよい。
【００５５】
脇サポート部３０は、本体部２の前部５とパッド受け布１３との間に配置されてもよい。すなわち、脇サポート部３０が、パッド受け布１３の表面１３ｅに縫着されてもよい。この場合、脇サポート部３０は前部５の裏面側にも露出せず、前部５とパッド受け布１３との間に内蔵される。その場合、脇サポート部３０の表面３０ｅの周縁部にも、接着剤が塗布される。
【００５６】
また、肩ストラップ部３の構成も上記実施形態に限られない。例えば襟刳りと袖刳りの端始末をパイピングとして、肩ストラップ部３を構成してもよい。また、肩ストラップ部３を有しない本体部２の上縁に別のテープ部材を結合して肩ストラップ部３を構成してもよい。肩ストラップ部３の接続先である前部５の上縁部５ａ及び後部６の上縁部６ａは、横方向（水平方向）に一直線状としてもよい。肩ストラップ部３は、必ずしも設けなくともよい。上半身衣類１の裾に相当する前部５の下縁部５ｂ及び後部６の下縁部６ｂは、湾曲状や波線状であってもよい。また、袖刳り及び襟刳りは、波線状であってもよい。
【符号の説明】
【００５７】
１…上半身衣類、２…本体部、３…肩ストラップ部、４…一体パッド、５…前部、６…後部、１１…パッド、１３…パッド受け布、１５…（前部の）側部、１６…（後部の）側部、１７…前中心部、１８…（パッド受け布の）側部、１９…中央部、２１…前ストラップ部、２２…後ストラップ部、２３…前ストラップ本体部、２４…引上げサポート部、２５…後ストラップ本体部、３０…脇サポート部、３１…脇サポート本体部、３１ｃ…前中心側端部、３２…脇サポート延長部、Ａ…接着部、Ａｂ…下接着領域、Ｈ…アームホール、Ｌ…バージスライン、Ｌａ…下端部、Ｓ…パッド収容部。
【図１】
2020070531.tif 000003
【図２】
2020070531.tif 000004
【図３】
2020070531.tif 000005
【図４】
2020070531.tif 000006
【図５】
2020070531.tif 000007
【図６】
2020070531.tif 000008
【図７】
2020070531.tif 000009
【図８】
2020070531.tif 000010